(57)【特許請求の範囲】
【請求項１】
記録された音声情報の再生が可能な音声情報記録／再生手段と、前記音声情報記録／再生手段を表裏から挟み込む２枚の支持シートと、前記２枚の支持シートの前記音声情報記録／再生手段を挟み込む面とは反対側の面にそれぞれ接着された２枚の表面シートとを有してなる音声メッセージ伝達媒体において、
前記２枚の支持シートが互いに接着された本体部と、
前記２枚の支持シートが見開き可能に構成されたスタンド部とを有し、
前記音声情報記録／再生手段は、前記本体部にて前記２枚の支持シートに挟み込まれていることを特徴とする音声メッセージ伝達媒体。
【発明の詳細な説明】
【技術分野】
【０００１】
本発明は、記録された音声情報の再生が可能な音声情報記録／再生手段が組み込まれてなる音声メッセージ伝達媒体に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録や再生が可能なシート状の音声情報記録／再生手段が組み込まれてなる音声メッセージ伝達シートが考えられ、特許文献１に記載されている。この特許文献１に記載された音声メッセージ伝達シートは、音声情報の記録や再生が可能なシート状の音声情報記録／再生手段が２枚の支持シート及び表面シートに挟み込まれて構成され、音声情報記録／再生手段にて再生された音声情報が、表面シートに形成された微細な穴を介して外部に出力される。また、音声情報記録／再生手段にて再生された音声情報は、表面シートが振動することによっても外部に伝えられる。これにより、音量の増幅作用が生じ、音声情報記録／再生手段にて再生される音声情報の音量が小さなものであっても外部に明確に伝えることができるようになっている。
【特許文献１】特開２００５−９９７０４号公報
【発明の開示】
【発明が解決しようとする課題】
【０００６】
上述した音声メッセージ伝達シートは、音声情報の記録や再生が可能なシート状の音声情報記録／再生手段が２枚の支持シート及び表面シートに挟み込まれて構成されていることから、音声情報の記録や再生が可能でありながらも一般のプリンタにて所望の情報を印字することができるため、結婚式の案内状やバースディカード、クリスマスカード等のグリーティングカードといった様々な用途に利用されている。
【０００７】
このように、従来の音声メッセージ伝達シートは、結婚式の案内状やバースディカード、クリスマスカード等のグリーティングカードとして利用されていることからも、音声情報を再生する場合、机の上に置かれたり、手に持たれたりした状態で音声情報が再生されることになる。
【０００８】
ところが、上述したように、音声情報記録／再生手段にて再生された音声情報は、表面シートが振動することによっても外部に伝えられ、これにより、音量の増幅作用が生じ、音声情報記録／再生手段にて再生される音声情報の音量が小さなものであっても外部に明確に伝えられる構成となっているため、机の上に置かれたり、手に持たれたりした状態で音声情報が再生された場合、音声情報記録／再生手段にて再生された音声情報による表面シートの振動が抑制されてしまい、音声情報が聴こえにくくなってしまうという問題点がある。
【０００９】
本発明は、上述したような従来の技術が有する問題点に鑑みてなされたものであって、表面シートの振動を抑制することなく音声情報を再生することができる音声メッセージ伝達媒体を提供することを目的とする。
【課題を解決するための手段】
【００１０】
上記目的を達成するために本発明は、
上記のように構成された本発明においては、スタンド部の２枚の支持シートが見開かれ、このスタンド部を足として机上等に載置される。この状態においては、スタンド部が机上等に接し、本体部が机上等に起立した状態となる。音声情報を再生する音声情報記録／再生手段は、机上等に接しずに起立した本体部にて２枚の支持シートに挟み込まれているため、この状態において音声情報記録／再生手段にて音声情報が再生されると、本体部における表面シートの振動が抑制されず、表面シートが振動することによっても音声情報が外部に伝えられる。これにより、音量の増幅作用が生じ、音声情報記録／再生手段にて再生される音声情報の音量が小さなものであっても音声情報を外部に明確に伝えることができるようになる。
【発明の効果】
【００１１】
以上説明したように本発明においては、２枚の支持シートが互いに接着された本体部と、２枚の支持シートが見開き可能に構成されたスタンド部とを有し、音声情報を再生する音声情報記録／再生手段が、本体部にて２枚の支持シートに挟み込まれている構成としたため、スタンド部の２枚の支持シートを見開き、このスタンド部を足として机上等に載置すれば、音声情報記録／再生手段が、机上等に起立した本体部にて２枚の支持シートに挟み込まれていることにより、この状態において音声情報記録／再生手段にて音声情報が再生されると、本体部にて表面シートの振動を抑制することなく音声情報を再生することができる。
【発明を実施するための最良の形態】
【００１２】
以下に、本発明の実施の形態について図面を参照して説明する。
【００１３】
（第１の実施の形態）
図１は、本発明の音声メッセージ伝達媒体の第１の実施の形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００１４】
本形態は図１及び図２に示すように、音声情報の記録や再生が可能なシート状の音声情報記録／再生部３０が、紙基材等の柔軟性を有し、かつ薄型の基材からなる２枚の支持シート２０ａ，２０ｂに表裏から挟み込まれ、また、音声情報記録／再生部３０を挟み込んだ支持シート２０ａ，２０ｂが、その外形が支持シート２０ａ，２０ｂを覆うような形状であって、紙基材等の柔軟性を有し、かつ薄型の基材からなる２枚の表面シート１０ａ，１０ｂに挟み込まれて構成されている。また、支持シート２０ａ，２０ｂが表面シート１０ａ，１０ｂに挟み込まれた領域は、本体部２とスタンド部３とから構成され、音声情報記録／再生部３０は本体部２にて支持シート２０ａ，２０ｂに挟み込まれ、また、スタンド部３においては、２枚の支持シート２０ａ，２０ｂ間に２枚の表出シート５０ａ，５０ｂが挟み込まれている。なお、表面シート１０ａ，１０ｂ、支持シート２０ａ，２０ｂ、表出シート５０ａ，５０ｂ及び音声情報記録／再生部３０は、支持シート２０ａ，２０ｂの表裏に塗布された粘着剤６０によって互いに接着されている。そのため、本体部２においては、２枚の支持シート２０ａ，２０ｂが音声情報記録／再生部３０を挟み込んだ状態で互いに接着され、スタンド部３においては、２枚の支持シート２０ａ，２０ｂが表出シート５０ａ，５０ｂにそれぞれ接着され、本体部２との境界線に沿って支持シート２０ａ，２０ｂに形成されたミシン目２３，２７を折り部として支持シート２０ａ，２０ｂを外側に折り曲げることにより、支持シート２０ａ，２０ｂが表出シート５０ａ，５０ｂとともに見開き可能となっている。また、表面シート１０ａ，１０ｂはその一部が支持シート２０ａ，２０ｂからはみ出しているが、その領域は、粘着剤７０によって剥離困難に互いに接着されている。なお、剥離困難とは、人間の手によって基材を剥離した場合に、表面シート１０ａ，１０ｂ自体が裂かれたり厚み方向に分割されたりする程度に強接着されていることである。
【００１５】
音声情報記録／再生部３０は、ピエゾ素子４１、振動板４２及びフィルムシート（不図示）からシート状に構成されて音声情報を出力するための音声情報出力部４０と、音声情報が記録されるＩＣチップを具備する回路部であるＩＣ基板３２と、ＩＣ基板３２に記録された音声情報を音声情報出力部４０を介して出力する際に操作される薄型のスイッチ３３と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３は、フィルム基板３４上に搭載され、このフィルム基板３４上に形成された配線パターン３５ａ，３５ｂとＩＣ基板３２とについても、はんだ溶接されたリード線を介して互いに電気的に接続されている。ＩＣ基板３２内のＩＣチップは、メモリ領域に記録された音声情報を音声情報出力部４０を介して出力する制御を行うものである。
【００１６】
表面シート１０ａには、スイッチ３３と対向する領域に、スイッチ３３を示す再生ボタン１２が印刷されている。また、音声情報出力部４０と対向する領域に、音声情報出力部４０から出力された音声を外部に出力するための微細な穴が羅列されてなる音声出力領域１４ａが形成されている。このように微細な穴が羅列されてなる音声出力領域１４ａが形成されているため、音声情報出力部４０がその表裏を表面シート１０ａ，１０ｂで覆われた状態であっても、音声情報出力部４０から出力される音量の低下を補うことができる。なお、音声入出力領域１４ａにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、表面シート１０ａには、この音声メッセージ伝達シート１を用いて視覚的に通知すべき情報を印刷あるいは記入するための情報表示領域１１が設けられている。また、再生ボタン１２においては、印刷によって表面シート１０ａ上に設けておかず、情報表示領域１１に情報が印刷された後に、スイッチ３３に対向する領域にシールを貼付することによって設けることも考えられる。さらに、支持シート２０ａ，２０ｂからはみ出した領域は切り離し領域１５ａとなっており、この切り離し領域１５ａを切り離すために支持シート２０ａ，２０ｂの外形に沿ってミシン目１３ａが形成されている。
【００１７】
支持シート２０ａにおいては、音声情報記録／再生部３０と積層された場合に、音声情報出力部４０に対向する領域に穴部２１が形成され、また、コイン電池３１、ＩＣ基板３２、スイッチ３３及びフィルム基板３４に対向する領域に穴部２２が形成されている。また、本体部２とスタンド部３との境界線に沿ってミシン目２３が形成されており、このミシン目２３に沿って支持シート２０ａを外側に折り曲げることによって支持シート２０ａ，２０ｂが見開かれる。
【００１８】
支持シート２０ｂにおいては、音声情報記録／再生部３０と積層された場合に、音声情報出力部４０に対向する領域に穴部２４が形成され、また、ＩＣ基板３２に対向する領域に穴部２５が形成され、また、コイン電池３１に対向する領域に穴部２６が形成されている。また、本体部２とスタンド部３との境界線に沿ってミシン目２７が形成されており、このミシン目２７に沿って支持シート２０ｂを外側に折り曲げることによって支持シート２０ａ，２０ｂが見開かれる。
【００１９】
このように、支持シート２０ａの、音声情報出力部４０、コイン電池３１、ＩＣ基板３２、スイッチ３３及びフィルム基板３４と対向する領域に穴部２１，２２がそれぞれ形成され、また、支持シート２０ｂの、音声情報出力部４０、ＩＣ基板３２及びコイン電池３１と対向する領域に穴２４〜２６がそれぞれ形成されることにより、コイン電池３１、ＩＣ基板３２、スイッチ３３及び音声情報出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。
【００２０】
表面シート１０ｂには、音声情報出力部４０と対向する領域に、音声情報出力部４０から出力された音声を外部に出力するための微細な穴が羅列されてなる音声入出力領域１４ｂが形成されている。この音声入出力領域１４ｂの構成は、表面シート１０ａに形成された音声入出力領域１４ａの構成と同様である。また、支持シート２０ａ，２０ｂからはみ出した領域は切り離し領域１５ｂとなっており、この切り離し領域１５ｂを切り離すために支持シート２０ａ，２０ｂの外形に沿ってミシン目１３ｂが形成されている。
【００２１】
表出シート５０ａ，５０ｂはそれぞれ、支持シート２０ａ，２０ｂのスタンド部３となる領域と同一形状を有している。
【００２２】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２３】
図３（ａ）に示すように、支持シート２０ａの音声情報出力部４０と対向する領域に形成された穴部２１は音声情報出力部４０の外形とほぼ等しく、また、コイン電池３１、ＩＣ基板３２、スイッチ３３及びフィルム基板３４と対向する領域に形成された穴部２２は、これらコイン電池３１、ＩＣ基板３２、スイッチ３３及びフィルム基板３４を含む大きさとなっている。
【００２４】
また、図３（ｂ）に示すように、支持シート２０ｂの音声情報出力部４０と対向する領域に形成された穴部２４は音声情報出力部４０よりも小さく、また、ＩＣ基板３２と対向する領域に形成された穴部２５はＩＣ基板３２よりも大きく、また、コイン電池３１と対向する領域に形成された穴部２６はコイン電池３１よりも大きくなっている。
【００２５】
以下に、上記のように構成された音声メッセージ伝達シート１の使用方法について説明する。
【００２６】
図４は、図１〜図３に示した音声メッセージ伝達シート１の使用方法を説明するための図である。
【００２７】
図１〜図３に示した音声メッセージ伝達シート１は、図４（ａ）に示すように切り離し領域１５ａ，１５ｂが切り離されていない状態で送付先に届けられる。この音声メッセージ伝達シート１には、送付元から送付先に伝達したい音声情報が音声情報記録／再生部３０のＩＣ基板３２に記録されているとともに、送付元から送付先に視覚的に伝達したい情報が表面シート１０ａの情報表示領域１１に記載されている。また、支持シート２０ａ，２０ｂにおいては、スタンド部３となる領域が、互いに対向する面に表出シート５０ａ，５０ｂが接着されていることにより互いに接着されていないが、その周囲が、２枚の表面シート１０ａ，１０ｂが粘着剤７０によって剥離困難に互いに接着されていることにより、２枚の支持シート２０ａ，２０ｂが送付途中において見開くことがないようになっている。
【００２８】
音声メッセージ伝達シート１がその送付先に届けられると、音声メッセージ伝達シート１の送付先において、まず、表面シート１０ａ，１０ｂのミシン目１３ａ，１３ｂが断裁され、図４（ｂ）に示すように切り離し部１５ａ，１５ｂが切り離される。
【００２９】
すると、支持シート２０ａ，２０ｂにおいては、スタンド部３となる領域が、互いに対向する面に表出シート５０ａ，５０ｂが接着されていることにより互いに接着されていないため、本体部２とスタンド部３との境界線に沿って形成されたミシン目２３，２７を折り部として支持シート２０ａ，２０ｂを外側に折り曲げることができ、それにより、図４（ｃ）に示すように、スタンド部３において支持シート２０ａ，２０ｂが表出シート５０ａ，５０ｂとともに見開かれる。
【００３０】
そして、スタンド部３にて支持シート２０ａ，２０ｂが表出シート５０ａ，５０ｂとともに見開かれた音声メッセージ伝達シート１は、スタンド部３を足として机上等に載置される。この状態においては、スタンド部３が机上等に接し、本体部２が机上等に起立した状態となる。
【００３１】
その後、再生ボタン１２を介してスイッチ３３が操作されると、音声情報記録／再生部３０のＩＣ基板３２に記録された音声情報が再生され、音声情報出力部４０を介して出力される。この際、音声情報を再生する音声情報記録／再生部３０が、机上等に起立した本体部２にて２枚の支持シート２０ａ，２０ｂに挟み込まれているため、本体部２における表面シート１０ａ，１０ｂの振動が抑制されず、音声情報出力部４０を介して出力された音声情報が、表面シート１０ａ，１０ｂが振動することによっても外部に伝えられる。
【００３２】
これにより、音量の増幅作用が生じ、音声情報記録／再生部３０にて再生される音声情報の音量が小さなものであっても音声情報を外部に明確に伝えることができるようになる。
【００３３】
ここで、スタンド部３においては、ただ単に音声メッセージ伝達シート１を机上等に起立させるためだけでなく、音声メッセージ伝達シート１の送付途中にて知られたくない情報を伝えるために用いることもできる。
【００３４】
図５は、図１に示した音声メッセージ伝達シート１の表出シート５０ａ，５０ｂを示す図である。
【００３５】
音声メッセージ伝達シート１の送付元から送付先に視覚にて伝達したい情報であって、音声メッセージ伝達シート１の送付途中にて知られたくない情報がある場合、図５に示すように、その情報を隠蔽情報５１として表出シート５０ａ，５０ｂに記載しておくことができる。
【００３６】
音声メッセージ伝達シート１の送付途中においては、スタンド部３の周囲が、２枚の表面シート１０ａ，１０ｂが粘着剤７０によって剥離困難に互いに接着されていることにより、２枚の支持シート２０ａ，２０ｂが見開くことがないようになっているため、この隠蔽情報５１は外部から視認されることがない。
【００３７】
音声メッセージ伝達シート１の送付先において、ミシン目１３ａ，１３ｂが断裁されて切り離し領域１５ａ，１５ｂが切り離され、スタンド部３にて支持シート２０ａ，２０ｂが表出シート５０ａ，５０ｂとともに見開かれると、表出シート５０ａ，５０ｂに記載された隠蔽情報５１が視認可能となり、音声メッセージ伝達シート１の送付先に隠蔽情報５１を伝えることができる。
【００３８】
なお、このように表出シート５０ａ，５０ｂに記載される隠蔽情報５１としては、音声メッセージ伝達シート１の送付途中にて隠蔽したい情報の他に、くじ情報等が考えられ、くじ情報を表出シート５０ａ，５０ｂに記載に記載することにより、音声メッセージ伝達シート１にくじ機能を持たせることもできる。
【００３９】
（第２の実施の形態）
図６は、本発明の音声メッセージ伝達媒体の第２の実施の形態を示す図であり、（ａ）は表面から見た図、（ｂ）は内部構造を示す図、（ｃ）は（ａ）に示したＡ−Ａ’断面図である。
【００４０】
本形態は図６に示すように、第１の実施の形態にて示したものに対して、表面シート１０ａ，１０ｂに切り離し領域１５ａ，１５ｂが設けられておらず、表面シート１０ａ，１０ｂと支持シート２０ａ，２０ｂとがその外形形状がほぼ同一である点と、スタンド部３にて２枚の支持シート２０ａ，２０ｂにそれぞれ接着された表出シート５０ａ，５０ｂが、粘着剤８０によって互いに剥離可能に接着されている点のみが異なるものである。なお、２枚の表出シート５０ａ，５０ｂを剥離可能に接着する粘着剤８０としては、剥離後の再接着が不可能な感圧のりや、剥離後の再接着が可能な接着力が弱い粘着剤や、自己のみが接着可能なエマルジョンタイプの粘着剤等を用いることができる。
【００４１】
以下に、上記のように構成された音声メッセージ伝達シート１０１の使用方法について説明する。
【００４２】
図７は、図６に示した音声メッセージ伝達シート１０１の使用方法を説明するための図である。
【００４３】
図６に示した音声メッセージ伝達シート１０１は、図７（ａ）に示すように２枚の表出シート５０ａ，５０が互いに剥離していない状態で送付先に届けられる。この音声メッセージ伝達シート１０１には、送付元から送付先に伝達したい音声情報が音声情報記録／再生部３０のＩＣ基板３２に記録されているとともに、送付元から送付先に視覚的に伝達したい情報が表面シート１０ａの情報表示領域１１に記載されている。また、支持シート２０ａ，２０ｂにおいては、スタンド部３となる領域が、互いに対向する面に表出シート５０ａ，５０ｂが接着され、かつ、この表出シート５０ａ，５０ｂが互いに接着されていることにより、見開かれていない状態となっている。
【００４４】
音声メッセージ伝達シート１０１がその送付先に届けられると、音声メッセージ伝達シート１０１の送付先において、互いに剥離可能に接着された表出シート５０ａ，５０ｂが剥離され、本体部２とスタンド部３との境界線に沿って形成されたミシン目２３，２７を折り部として支持シート２０ａ，２０ｂが外側に折り曲げられ、それにより、図７（ｂ）に示すように、スタンド部３において支持シート２０ａ，２０ｂが表出シート５０ａ，５０ｂとともに見開かれる。
【００４５】
そして、スタンド部３にて支持シート２０ａ，２０ｂが表出シート５０ａ，５０ｂとともに見開かれた音声メッセージ伝達シート１０１は、スタンド部３を足として机上等に載置される。この状態においては、スタンド部３が机上等に接し、本体部２が机上等に起立した状態となる。
【００４６】
その後、再生ボタン１２を介してスイッチ３３が操作されると、音声情報記録／再生部３０のＩＣ基板３２に記録された音声情報が再生され、音声情報出力部４０を介して出力される。この際、音声情報を再生する音声情報記録／再生部３０が、机上等に起立した本体部２にて２枚の支持シート２０ａ，２０ｂに挟み込まれているため、本体部２における表面シート１０ａ，１０ｂの振動が抑制されず、音声情報出力部４０を介して出力された音声情報が、表面シート１０ａ，１０ｂが振動することによっても外部に伝えられる。
【００４７】
これにより、音量の増幅作用が生じ、音声情報記録／再生部３０にて再生される音声情報の音量が小さなものであっても音声情報を外部に明確に伝えることができるようになる。
【００４８】
なお、２枚の表出シート５０ａ，５０ｂを剥離可能に接着する粘着剤８０として、剥離後の再接着が可能な粘着剤を用いた場合、スタンド部３にて支持シート２０ａ，２０ｂを表出シート５０ａ，５０ｂとともに見開いた後に、スタンド部３を足として机上等に載置するのではなく、表出シート５０ａ，５０ｂを接着面として所望の場所に貼り付けることもできる。その場合においても、音声情報記録／再生部３０が支持シート２０ａ，２０ｂに挟み込まれた本体部２が、貼り付けられる場所に接することがなく、それにより、本体部２における表面シート１０ａ，１０ｂの振動が抑制されることがない。また、スタンド部３における２枚の支持シート２０ａ，２０ｂの互いのなす角度が可変であることから、平面以外の場所にも貼り付けることができる。
【００４９】
また、上述した２つの実施の形態においては、スタンド部３において２枚の支持シート２０ａ，２０ｂ間に２枚の表出シート５０ａ，５０ｂが挟み込まれ、支持シート２０ａと表出シート５０ａ、並びに支持シート２０ｂと表出シート５０ｂとが互いに接着されているが、２枚の支持シート２０ａ，２０ｂ間に１枚の表出シートが、本体部２とスタンド部３との境界部分を折り部として折り畳まれて挟み込まれ、その表出シートが支持シート２０ａ，２０ｂとそれぞれ接着された構成とすることも考えられる。
【００５０】
また、表出シート５０ａ，５０ｂを設けず、支持シート２０ａ，２０ｂの互いに対向する面が接着されていない構成としたり、支持シート２０ａ，２０ｂの互いに対向する面が剥離可能に接着された構成としたりしてもよい。
【図面の簡単な説明】
【００５１】
【図１】本発明の音声メッセージ伝達媒体の第１の実施の形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１〜図３に示した音声メッセージ伝達シートの使用方法を説明するための図である。
【図５】図１に示した音声メッセージ伝達シートの表出シートを示す図である。
【図６】本発明の音声メッセージ伝達媒体の第２の実施の形態を示す図であり、（ａ）は表面から見た図、（ｂ）は内部構造を示す図、（ｃ）は（ａ）に示したＡ−Ａ’断面図である。
【図７】図６に示した音声メッセージ伝達シートの使用方法を説明するための図である。
【符号の説明】
【００５２】
１，１０１    音声メッセージ伝達シート
２    本体部
３    スタンド部
１０ａ，１０ｂ    表面シート
１１    情報表示領域
１２    再生ボタン
１３ａ，１３ｂ，２３，２７    ミシン目
１４ａ，１４ｂ    音声出力領域
１５ａ，１５ｂ    切り離し領域
２０ａ，２０ｂ    支持シート
２１，２２，２４〜２６    穴部
３０    音声情報記録／再生部
３１    コイン電池
３２    ＩＣ基板
３３    スイッチ
３４    フィルム基板
３５ａ，３５ｂ    配線パターン
４０    音声情報出力部
４１    ピエゾ素子
４２    振動板
５０ａ，５０ｂ    表出シート
５１    隠蔽情報
６０，７０，８０    粘着剤
【図１】
0004997021.tif 000002
【図２】
0004997021.tif 000003
【図３】
0004997021.tif 000004
【図４】
0004997021.tif 000005
【図５】
0004997021.tif 000006
【図６】
0004997021.tif 000007
【図７】
0004997021.tif 000008